(57)【要約】【課題】液晶パネルに飛び越し走査信号をフィールド内の映像を用いて順次走査信号に変換した映像をアンダースキャン表示するとき、上下映像端部分にフリッカおよび焼きつきの発生しない画像を得る。【解決手段】所望の上下端部分の１ライン分の書き込みおよび読み出し制御信号を発生する制御手段と２つの映像遅延手段を設け、上下映像端それぞれの１ライン分の有効画像を保持し、その映像を１フィールド遅延後の同一位置に出力し、さらに選択手段にて上下映像端部分のみ１フィールド遅延した映像に切り換えて出力する。【選択図】図１
2005333529.tif 000002
【特許請求の範囲】
【請求項１】
飛び越し走査の映像信号が入力されたとき、フィールド内の映像より順次走査の映像に変換する倍速変換手段と、前記倍速変換手段の出力のうち１ライン分の映像信号を保持・遅延する第１映像遅延手段と第２の映像遅延手段と、水平同期信号と垂直同期信号から飛び越し走査の映像信号のフィールドを判別するフィールド判別手段と、前記第１映像遅延手段とおよび前記第２の映像遅延手段とに書き込みおよび読み出し制御信号を出力する制御信号発生手段と、前記フィールド判別手段の出力と前記制御信号発生手段の出力から映像信号を切り換えるための制御信号を出力する切換信号発生手段と、前記切換信号発生手段の出力により前記倍速変換手段、前記第１映像遅延手段または前記第２の映像遅延手段のいずれかの出力を選択する選択手段とを備えたことを特徴とする映像信号処理装置。
【請求項２】
制御信号発生手段は、フィールド判別手段の出力する制御信号と、入力される水平同期信号を倍の周波数に変換した２倍の水平同期信号と、外部より設定される設定値により、順次走査に変換された映像信号の有効映像領域の上下端それぞれの１ライン分の映像信号を第１映像遅延手段と第２の映像遅延手段とに保持し、映像を１フィールド遅延させるための制御信号を発生することを特徴とする請求項１記載の映像信号処理装置。
【請求項３】
飛び越し走査の映像信号が入力されたとき、フィールド内の映像より順次走査の映像に変換する倍速変換手段と、前記倍速変換手段の出力のうち１ライン分の映像信号を保持・遅延する第１映像遅延手段と第２の映像遅延手段と、水平同期信号と垂直同期信号から飛び越し走査の映像信号のフィールドを判別するフィールド判別手段と、映像信号のうちの有効映像領域の上下端それぞれの位置を検出する映像領域判別手段と、前記第１映像遅延手段とおよび第２の映像遅延手段に書き込みおよび読み出し制御信号を出力する制御信号発生手段と、前記フィールド判別手段の出力と前記制御信号発生手段の出力から映像信号を切り換えるための制御信号を出力する切換信号発生手段と、前記切換信号発生手段の出力により前記倍速変換手段、前記第１映像遅延手段または第２の映像遅延手段のいずれかの出力を選択する選択手段とを備えたことを特徴とする映像信号処理装置。
【請求項４】
制御信号発生手段は、フィールド判別手段の出力する制御信号と、入力される水平同期信号を倍の周波数に変換した２倍の水平同期信号を基準に、映像領域判別手段から出力される上下端それぞれの位置情報を外部より設定される上下端それぞれの設定値と比較し、上端の場合は大きい値を、下端の場合は小さい値を選択し、順次走査に変換された映像信号の有効映像領域の上下端それぞれの１ライン分の映像信号を前記第１映像遅延手段と前記第２の映像遅延手段とに保持し、映像を１フィールド遅延させるための制御信号を発生することを特徴とする請求項３記載の映像信号処理装置。
【請求項５】
映像領域判別手段は、フィールド判別手段の出力と、入力される水平同期信号を倍の周波数に変換した２倍の水平同期信号と、倍速変換手段の出力より、映像信号のうちの有効映像領域の上端、下端それぞれの位置を検出することを特徴とする請求項３記載の映像信号処理装置。
【発明の詳細な説明】
【技術分野】
【０００１】
本発明は飛び越し走査の映像信号を順次走査の映像信号に変換する映像信号処理装置に関するものである。
【背景技術】
【０００２】
従来のインターレース信号をプログレッシブ信号に変換する映像信号処理装置としては、例えば特許文献１に示されたようなものがある。図８は従来の映像信号処理装置の一例を示したブロック図である。
【０００３】
図８において入力端子８０１は飛び越し走査の映像信号を入力する入力端子である。第１のフィールドメモリ８０２及び第２のフィールドメモリ８０３は飛び越し走査の映像信号を１フィールド期間遅延するフィールドメモリであり、直列に接続される。補間回路８０４はフィールドメモリ８０２の出力する映像信号を用いて、同一フィールド内の画素より補間走査線を生成する補間回路である。
【０００４】
中間値選択回路８０５は、フィールドメモリ８０３の出力する映像信号の画素と、補間回路８０４の出力する映像信号の画素と、入力端子８０１の映像信号の画素のレベルを比較し、中間レベルの画素を画素周期毎に選択する回路である。倍速変換部８０６、８０７は入力された映像信号を記憶し、読み出し時に映像信号の水平走査期間を１／２に圧縮して倍レート記憶内容を出力するメモリである。
【０００５】
倍速変換部８０６は中間値選択回路８０５の出力を、倍速変換部８０７はフィールドメモリ８０２の出力を速度変換する。選択回路８０８は、倍速変換部８０６、倍速変換部８０７の出力を１ライン周期毎に切り替え、出力端子８０９を介して順次走査の映像信号を生成する回路である。
【０００６】
このように構成された従来の映像信号処理装置の動作を説明する。図８において入力端子８０１には飛び越し走査の映像信号が入力されると、フィールドメモリ８０２、フィールドメモリ８０３によって夫々１フィールド期間遅延される。そしてフィールドメモリ８０３から２フィールド即ち１フレーム期間遅延された映像信号が出力される。フィールドメモリ８０２の出力は補間回路８０４に入力され、ここで同一フィールド内の画素より補間処理が行われ、補間走査線が生成される。
【０００７】
補間回路８０４で生成されたフィールド内補間走査線と、フィールド間補間のためのフィールドメモリ８０３の出力と、入力端子８０１の映像信号は中間値選択回路８０５に入力される。中間値選択回路８０５では入力される３画素のうち、中間レベルの画素値を持つものを選択し、これを補間走査線の画素として出力する。
【０００８】
このようにして中間値選択回路８０５で得られた補間走査線と、フィールドメモリ８０２の出力である実走査線は夫々、倍速変換部８０６と倍速変換部８０７に入力される。倍速変換部８０６、倍速変換部８０７では、通常の速度で書き込まれた走査線の画素データが２倍の速度で読み出される。選択回路８０８は倍速変換部８０６と倍速変換部８０７の出力を１ライン周期で交互に切り換え、順次走査化した映像信号を出力端子８０９より出力する。
【０００９】
フィールド内補間走査線を生成する補間回路８０４の構成は、例えば同一フィールド内の上下ラインの平均値を有する補間走査線が出力される。中間値選択回路８０５では、入力される３つの画素値の大小を比較し、中間値となる信号を出力する。
【００１０】
この中間値が出力される時の補間の様子を図９に示す。図９（ａ）は（Ｎ−１）フィールドが中間値となる場合であり、Ｎフィールドの補間点（黒丸部）にはＢ画素の画素値が補間される。図９（ｂ）はＮフィールドが中間値となる場合であり、Ｎフィールドの補間点（黒丸部）にはＥ画素とＦ画素の平均値が補間される。さらに図９（ｃ）は（Ｎ＋１）フィールドが中間値となる場合であり、Ｎフィールドの補間点（黒丸部）にはＩ画素の画素値が補間される。
【００１１】
このように、隣接する３フィールドの中間値をとって補間走査線を生成することで、簡単な構成で動画／静止画に関わらず良好な画質の走査線補間処理を行うことができる。
【特許文献１】特開平９−２２４２２３号公報
【発明の開示】
【発明が解決しようとする課題】
【００１２】
しかしながら前記のような構成では、現画素および補間画素値を生成するフィールドが、現フィールドである（Ｎ＋１）フィールドに対し１フィールド遅延したＮフィールドを使用して順次走査線を作成しているため、音声信号に対して映像が１フィールド遅延されるため、放送局等での編集で音声と映像の関係が合わず、さらにインターレース信号そのものを表示する放送局向けのＣＲＴ表示装置に対して、映像のシーンチェンジ（切り替え）が１フィールド異なり映像信号管理上に支障を来たす。
【００１３】
このことを考慮し、遅延が問題となる用途で使用する場合は、フィールド遅延が発生しないフィールド内の２度書きによる倍速変換表示もユーザで選択できる構成としている。しかし、この場合映像の上下端部のフリッカ発生部分に焼きつきが発生するという課題を有していた。
【００１４】
本発明はかかる点に鑑み、簡単な構成で映像の上下端部分の焼きつきが発生せず、良好な画質の走査線補間処理を行える映像信号処理装置を提供することを目的とする。
【００１５】
また、本発明は、映像有効領域が所定の幅よりもさらに小さな映像が表示された場合に、その上下端部分を自動検出することで、常に映像の上下端部分の焼きつきが発生することなく走査線補間を行うことができる映像信号処理装置を提供することを目的とする。
【課題を解決するための手段】
【００１６】
上記の目的を達成するために、本発明は、飛び越し走査の映像信号が入力されたとき、フィールド内の映像より順次走査の映像に変換する倍速変換手段と、前記倍速変換手段の出力のうち１ライン分の映像信号を保持・遅延する第１、第２の映像遅延手段と、水平同期信号と垂直同期信号から飛び越し走査の映像信号のフィールドを判別するフィールド判別手段と、前記第１および第２の映像遅延手段に書き込みおよび読み出し制御信号を出力する制御信号発生手段と、前記フィールド判別手段の出力と前記制御信号発生手段の出力から映像信号を切り換えるための制御信号を出力する切換信号発生手段と、前記切換信号発生手段の出力により前記倍速変換手段、前記第１および第２の映像遅延手段のいずれかを選択し出力する選択手段とを備えたことを特徴とするものである。
【００１７】
また、本発明は、前記制御信号発生手段は、前記フィールド判別手段の出力する制御信号と、入力される水平同期信号を倍の周波数に変換した２倍の水平同期信号と、外部より設定される設定値により、順次走査に変換された映像信号の有効映像領域の上下端それぞれの１ライン分の映像信号を前記第１、第２の映像遅延手段に保持し、映像を１フィールド遅延させるための制御信号を発生することを特徴とするものである。
【００１８】
また、本発明は、飛び越し走査の映像信号が入力されたとき、フィールド内の映像より順次走査の映像に変換する倍速変換手段と、前記倍速変換手段の出力のうち１ライン分の映像信号を保持・遅延する第１、第２の映像遅延手段と、水平同期信号と垂直同期信号から飛び越し走査の映像信号のフィールドを判別するフィールド判別手段と、映像信号のうちの有効映像領域の上下端それぞれの位置を検出する映像領域判別手段と、前記第１および第２の映像遅延手段に書き込みおよび読み出し制御信号を出力する制御信号発生手段と、前記フィールド判別手段の出力と前記制御信号発生手段の出力から映像信号を切り換えるための制御信号を出力する切換信号発生手段と、前記切換信号発生手段の出力により前記倍速変換手段、前記第１および第２の映像遅延手段のいずれかを選択し出力する選択手段とを少なくとも備えたことを特徴とするものである。
【００１９】
また、本発明は、前記制御信号発生手段は、前記フィールド判別手段の出力する制御信号と、入力される水平同期信号を倍の周波数に変換した２倍の水平同期信号を基準に、前記映像領域判別手段から出力される上下端それぞれの位置情報を外部より設定される上下端それぞれの設定値と比較し、上端の場合は大きい値を、下端の場合は小さい値を選択し、順次走査に変換された映像信号の有効映像領域の上下端それぞれの１ライン分の映像信号を前記第１、第２の映像遅延手段に保持し、映像を１フィールド遅延させるための制御信号を発生することを特徴とするものである。
【００２０】
また、本発明は、前記映像領域判別手段は、前記フィールド判別手段の出力と、入力される水平同期信号を倍の周波数に変換した２倍の水平同期信号と、前記倍速変換手段の出力より、映像信号のうちの有効映像領域の上端、下端それぞれの位置を検出するることを特徴とするものである。
【発明の効果】
【００２１】
本発明は、映像信号の上下端部分の映像１ラインを遅延する２つの映像信号遅延手段で上端と下端のそれぞれの映像信号を１フィールド遅延させ、常にフリッカの発生する上・下端部分のみをフィールド間補間することで焼きつきが発生することが無く、良好な画質を得ることが可能となり、さらに垂直方向の映像有効領域が変化した場合でもその上・下端を自動検出することで常に上・下端部分のフリッカ発生を防止できるものである。
【発明を実施するための最良の形態】
【００２２】
以下、本発明の実施の形態を、図面を参照して説明する。
【００２３】
（実施の形態１）
本発明の具体的な実施の形態である映像信号処理装置について図１〜図５を用いて以下に説明する。
【００２４】
図１は本発明の実施の形態１の映像信号処理装置のブロック図を示す。
【００２５】
図１に示す映像信号処理装置は、飛び越し走査（インターレース）の映像信号が入力される入力端子１０１と、水平同期信号が入力される入力端子１０２と、垂直同期信号が入力される入力端子１０３と、入力端子１０１に入力された映像信号と入力端子１０２からの水平同期信号よりフィールド内で倍の周波数に変換した順次走査の映像を生成し、さらに倍の周波数の水平同期信号を出力する倍速変換手段１０４と、入力端子１０２からの水平同期信号と、入力端子１０３からの垂直同期信号より飛び越し走査信号のフィールドを判別するフィールド判別手段１０５と、倍速変換手段１０４から出力される映像信号の特定の１ラインを保持し、ライン単位で遅延させる映像遅延手段１０６、映像遅延手段１０７と、倍速変換手段１０４から出力される倍の水平同期信号とフィールド判別手段１０５から出力される制御信号および外部から設定される上下端位置を決める制御信号から映像遅延手段１０６、映像遅延手段１０７および切換制御信号発生手段に書き込みおよび読み出しの制御信号を出力する制御信号発生手段１０８と、フィールド判別手段１０５の出力と制御信号発生手段１０８の出力より切換制御信号を出力する切換制御信号発生手段１０９と、切換制御信号発生手段１０９の出力により、倍速変換手段１０４、映像遅延手段１０６、１０７の映像を切り換えて出力する選択手段１１０と、順次走査の映像信号を出力する出力端子１１１とから構成されている。
【００２６】
次に、以上のように構成された、（実施の形態１）の映像信号処理装置の動作を説明する。
【００２７】
図１において、入力端子１０１に飛び越し走査の映像信号が入力されると、倍速変換手段１０４によりフィールド内で倍速変換が行なわれ、２ラインずつ同じデータが出力された（フィールド内２度書き）順次走査の映像信号が出力される。このときの映像信号の関係は図２に示すようになる。
【００２８】
図２に示すようにフィールド内で倍速変換を行なった場合、第１フィールドと第２フィールドで上下端に片側のフィールドしか映像信号が無いラインが発生してしまう。このような映像を図３（ａ）に示すように５：４の液晶表示パネルに１６：９の映像として表示していると、液晶分子に偏りが発生してしまい図３（ｂ）に示すように４：３の映像に切り換えると先程までの１６：９表示時の上下端部分に焼きつきが発生してしまう。
【００２９】
これを防ぐため、図４のＡ点の１ライン分の映像を映像遅延手段１０６に、Ｂ点の１ライン分の映像を映像遅延手段１０７に書き込み、１フィールド遅延後の同一位置で書き込んだ映像を出力する。
【００３０】
選択手段１１０では、図４のＡ点およびＢ点以外の時は、倍速変換手段１０４の映像信号を出力端子１１１に出力し、図４のＡ点の時は映像出力手段１０６の出力を出力端子１１１に出力し、さらに図４のＢ点の時は映像出力手段１０７の出力を出力端子１１１に出力する。これにより、映像の上下端部分はフィールド間のはめ込みが行なわれるためフリッカは発生せず液晶分子の偏りが起こらないため焼きつきは発生しない。
【００３１】
この映像遅延手段１０６、映像遅延手段１０７の書き込み・読み出し制御信号を発生するのが制御信号発生手段１０８であり、選択手段１１０は切換信号発生手段１０９で制御される。
【００３２】
図５はこの動作を説明する動作波形図であり、図５（ａ）は入力端子１０３に入力される垂直同期信号を、図５（ｂ）は入力端子１０２に入力される水平同期信号を、図５（ｃ）は倍速変換手段１０４から出力される、入力端子１０２からの水平同期信号の倍の周波数の水平同期信号を、図５（ｄ）は入力端子１０１から入力される映像信号の一例を示している。
【００３３】
図５（ｅ）は入力端子１０２、入力端子１０３から入力された同期信号よりフィールド判別手段１０５で判別したフィールド判別信号を、図５（ｆ）は映像の上端を映像遅延手段１０６に書き込むための制御信号を、図５（ｇ）は映像の上端を映像遅延手段１０６から読み出すための制御信号を、図５（ｈ）は映像の下端を映像遅延手段１０７に書き込むための制御信号を、図５（ｉ）は映像の下端を映像遅延手段１０７から読み出すための制御信号を、図５（ｊ）は出力端子１１１に出力する映像信号を選択する選択信号を発生する切換制御信号発生手段の出力を示している。
【００３４】
図５（ａ）の垂直同期信号と図５（ｂ）の水平同期信号よりフィールド判別がフィールド判別手段１０５で行なわれる。このフィールド判別は、例えば図５（ａ）の垂直同期信号の立下り部分で図５（ｂ）の水平同期信号が「Ｈｉｇｈ」か「Ｌｏｗ」かの状態で判別が行なわれる。図５の場合、垂直同期信号の立下り部分で水平同期信号が「Ｌｏｗ」であった場合はフィールド判別信号として「Ｈｉｇｈ」が、垂直同期信号の立下り部で水平同期信号が「Ｈｉｇｈ」であった場合はフィールド判別信号として「Ｌｏｗ」の制御信号がフィールド判別手段１０５から出力される。
【００３５】
制御信号発生手段１０８では、フィールド判別手段１０５から出力される制御信号と外部から設定される映像の上下端部位置データより、映像遅延手段１０６および映像遅延手段１０７に書き込み制御信号と読み出し制御信号とを出力する。図５の場合、上端として「９」が、下端として「５２１」が設定されている場合を示しており、上端部の映像信号を遅延させる映像遅延手段１０６への書き込み制御信号は、図５（ｅ）のフィールド判別信号が「Ｈｉｇｈ」でかつ図５（ａ）の垂直同期信号の立下りより図５（ｃ）の倍の水平同期信号が９番目で「Ｈｉｇｈ」の制御信号を出力し、読み出し制御信号は、図５（ｅ）のフィールド判別信号が「Ｌｏｗ」でかつ図５（ａ）の垂直同期信号の立下りより図５（ｃ）の倍の水平同期信号が９番目で「Ｈｉｇｈ」の制御信号を出力する。
【００３６】
下端部の映像信号を上端部の映像信号を遅延させる映像遅延手段１０６への書き込み制御信号は、図５（ｅ）のフィールド判別信号が「Ｌｏｗ」でかつ図５（ａ）の垂直同期信号の立下りより図５（ｃ）の倍の水平同期信号が５２１番目で「Ｈｉｇｈ」の制御信号を出力し、読み出し制御信号は、図５（ｅ）のフィールド判別信号が「Ｈｉｇｈ」でかつ図５（ａ）の垂直同期信号の立下りより図５（ｃ）の倍の水平同期信号が５２１番目で「Ｈｉｇｈ」の制御信号を出力する。これにより上下端部のみ１フィールド遅延された映像信号が映像遅延手段１０６、映像遅延手段１０７より出力される。
【００３７】
切換制御信号発生手段１０９では、フィールド判別手段１０５の出力するフィールド判別信号（図５（ｅ））と、制御信号発生手段１０８から出力される読み出し制御信号（図５（ｇ）、図５（ｉ））より、切換制御信号を出力し、図５（ｇ）および図５（ｉ）が共に「Ｌｏｗ」のときは「１」を、図５（ｇ）が「Ｈｉｇｈ」のときは「２」を図５（ｉ）が「Ｈｉｇｈ」のときは「３」を出力する。
【００３８】
選択回路１１０では、切換信号発生手段１０９の制御信号により、倍速変換手段１０４、映像遅延手段１０６、１０７の出力を切換選択し、出力端子１１１に出力する。
【００３９】
以上のように、本実施の形態によれば、映像信号の上下端部のみ映像遅延手段を用い１フィールド遅延させることで、フィールド内の倍速変換により上下端部分に発生するフリッカおよび液晶分子の偏りが防げるため、表示サイズが１６：９から４：３等に変更された場合でも上下端部分に焼きつきは生じず良好な画質を得ることが可能となる。
【００４０】
（実施の形態２）
次に本発明の他の実施の形態における映像信号処理装置について、図６〜図７を用い説明する。図６は本実施の形態の映像信号処理装置のブロック図を示したもので、図１に示した（実施の形態１）の映像信号処理装置の各部に対応する部分には同一符号を付し、その説明を省略する。
【００４１】
図６において、６０１は倍速変換された映像信号とフィールド判別信号より映像の上下端の位置を検出する映像領域判別手段、６０２は映像領域判別手段６０１からの上下端部分の位置を得、外部から設定されている上下端位置情報と比較し、映像遅延手段１０６、１０７に書き込み制御信号および読み出し制御信号を出力する制御信号発生手段である。
【００４２】
以上のような構成を有する本実施の形態による映像信号処理装置について、その動作を説明する。
【００４３】
映像領域判別手段６０１には、倍速変換手段１０４から順次走査の映像信号と倍の周波数の水平同期信号が入力され、またフィールド判別手段１０５からフィールドの検出信号が入力される。映像領域判別手段６０１では、倍速変換手段１０４の映像信号とフィールド判別手段１０５の出力より、フィールド判別が「Ｈｉｇｈ」のときは上端位置を検出し、「Ｌｏｗ」のときは下端位置を検出した結果を制御信号発生手段６０２に出力する。
【００４４】
制御信号発生手段６０２では、映像領域判別手段６０１からの上下端位置情報と外部から設定されている固定の上下端位置情報と比較を行い、上端の場合、映像領域判別手段６０１からの上端位置情報が外部から設定されている上端位置情報より大きい値時のみ映像領域判別手段の値を元に映像遅延手段１０６への書き込み制御信号および読み出し制御信号を発生する。下端の場合、映像領域判別手段６０１からの下端位置情報が外部から設定されている下端位置情報より小さい値時のみ映像領域判別手段の値を元に映像遅延手段１０７への書き込み制御信号および読み出し制御信号を発生する。それ以外の場合は、外部から設定されている上下端位置情報を元に書き込み制御信号および読み出し制御信号を発生する。
【００４５】
図７はこの動作を示した図であり、上端として「９」が下端として「５２１」が制御信号発生手段６０２に外部から固定値として設定されている場合で、さらに上端の映像が所定の映像より小さくなった場合を示しており、図７（ａ）は入力端子１０３に入力される垂直同期信号を、図７（ｂ）は入力端子１０２に入力される水平同期信号を、図７（ｃ）は倍速変換手段１０４から出力される倍の周波数の水平同期信号を、図７（ｄ）は入力端子１０１から入力される映像信号の一例を示している。
【００４６】
図７（ｅ）は入力端子１０２、入力端子１０３から入力された同期信号よりフィールド判別手段１０５で判別したフィールド判別信号を、図７（ｆ）は映像の上端を映像遅延手段１０６に書き込むための制御信号を、図７（ｇ）は映像の上端を映像遅延手段１０６から読み出すための制御信号を、図７（ｈ）は映像の下端を映像遅延手段１０７に書き込むための制御信号を、図７（ｉ）は映像の下端を映像遅延手段１０７から読み出すための制御信号を、図７（ｊ）は出力端子１１１に出力する映像信号を選択する選択信号を発生する切換制御信号発生手段の出力を示している。
【００４７】
まず、映像領域判別手段６０１では図７（ｄ）の映像領域信号とフィールド判別手段１０５の出力（図７（ｅ））より、フィールド判別出力が「Ｈｉｇｈ」のときは上端の位置を検出し、フィールド判別出力が「Ｌｏｗ」の時は下端の位置を検出し、制御信号発生手段６０２に出力する。制御信号発生手段６０２では、映像領域判別手段６０１からの上下端位置情報と外部から設定されている上下端位置情報を比較する。
【００４８】
図７の場合、上端として制御信号発生手段６０１で検出された上端位置情報「１１」と、外部から設定されている「９」が比較され、上端の場合は大きい値の「１１」が選択される。下端では制御信号発生手段６０１で検出された下端位置情報「５２１」と外部から設定されている「５２１」が比較され、下端の場合は小さい値が選択されるが、図７の場合は同じ「５２１」のため外部から設定された値が選択される。
【００４９】
この上下端情報を元に、上端部の映像信号を遅延させる映像遅延手段１０６への書き込み制御信号は、図７（ｅ）のフィールド判別信号が「Ｈｉｇｈ」でかつ図７（ａ）の垂直同期信号の立下りより図７（ｃ）の倍の水平同期信号が１１番目で「Ｈｉｇｈ」の制御信号を出力し、読み出し制御信号は、図７（ｅ）のフィールド判別信号が「Ｌｏｗ」でかつ図７（ａ）の垂直同期信号の立下りより図７（ｃ）の倍の水平同期信号が１１番目で「Ｈｉｇｈ」の制御信号を出力する。
【００５０】
下端部の映像信号を遅延させる映像遅延手段１０７への書き込み制御信号は、図７（ｅ）のフィールド判別信号が「Ｌｏｗ」でかつ図７（ａ）の垂直同期信号の立下りより図７（ｃ）の倍の水平同期信号が５２１番目で「Ｈｉｇｈ」の制御信号を出力し、読み出し制御信号は、図７（ｅ）のフィールド判別信号が「Ｈｉｇｈ」でかつ図７（ａ）の垂直同期信号の立下りより図７（ｃ）の倍の水平同期信号が５２１番目で「Ｈｉｇｈ」の制御信号を出力する。
【００５１】
これにより上下端部のみ１フィールド遅延された映像信号が映像遅延手段１０６、１０７より出力される。切換制御信号発生手段１０９ではフィールド判別手段の出力するフィールド判別信号（図７（ｅ））と、制御信号発生手段６０２から出力される読み出し制御信号（図７（ｇ）、図７（ｉ））より、切換制御信号を出力し、図７（ｇ）および図７（ｉ）が共に「Ｌｏｗ」のときは「１」を、図７（ｇ）が「Ｈｉｇｈ」のときは「２」を図７（ｉ）が「Ｈｉｇｈ」のときは「３」を出力する。
【００５２】
なお、外部から設定される上下端位置情報は規格で定められる映像有効領域から決定され、このため映像領域判別手段６０１で得られる上端位置情報は外部から設定される上端位置情報より小さくなることはなく、また映像領域判別手段６０１で得られる下端位置情報は外部から設定される下端位置情報より大きくなることはない。
【００５３】
以上のように、本実施の形態によれば、入力映像が所定のサイズより小さくなり外部から設定されている上下端位置情報と異なる領域が検出された場合、その上下端部でのはめ込み処理を行なうことで、一時的にサイズが変化した場合でも上下端部分の焼きつきを防止することができ、さらに良好な映像を得ることが可能となる。
【産業上の利用可能性】
【００５４】
本発明にかかる映像信号処理装置は、映像信号の上下端部のみ映像遅延手段を用い１フィールド遅延させることで、フィールド内の倍速変換により上下端部分に発生するフリッカおよび液晶分子の偏りが防げるため、表示サイズが１６：９から４：３等に変更された場合でも上下端部分に焼きつきは生じず良好な画質を得ることが可能となり、さらに入力映像が所定のサイズより小さくなり外部から設定されている上下端位置情報と異なる領域が検出された場合、その上下端部でのはめ込み処理を行なうことで、一時的にサイズが変化した場合でも上下端部分の焼きつきを防止できる効果を有し、映像と音声を管理・編集する業務用途使用など映像のフィールド単位遅延が問題となる用途で遅延が発生しないフィールド内補間のモードで表示された場合への使用として有用である。
【図面の簡単な説明】
【００５５】
【図１】本発明の実施の形態における映像信号処理装置の構成を示すブロック図
【図２】同映像信号処理装置の飛び越し走査の映像信号をフィールド内で順次走査の映像信号に変換する状態を示した図
【図３】同映像信号処理装置の画面表示状態を示した図
【図４】同映像信号処理装置の焼き付きを防止するために変換処理を行なう状態を示した図
【図５】同映像信号処理装置の各構成の動作波形を示す図
【図６】本発明の他の実施の形態における映像信号処理装置のブロック図
【図７】同映像信号処理装置の各構成の動作波形を示す図
【図８】従来の映像信号処理装置の構成例を示すブロック図
【図９】従来の映像信号処理装置の補間値選択回路の動作を説明した画素配置図
【符号の説明】
【００５６】
１０１、８０１    映像入力端子
１０２    水平同期入力端子
１０３    垂直同期入力端子
１０４    倍速変換手段
１０５    フィールド判別手段
１０６、１０７    映像遅延手段
１０８、６０２    制御信号発生手段
１０９    切換信号発生手段
１１０    選択回路
１１１、８１３    出力端子
６０１    映像領域判別手段
８０２、８０３    フィールドメモリ
８０４、８０５    補間回路
８０６    中間値比較回路
８０７    フィルター回路
８０８    加算回路
８０９    補間値選択回路
８１０、８１１    倍速変換部
８１２    選択回路
【図１】
2005333529.tif 000003
【図２】
2005333529.tif 000004
【図３】
2005333529.tif 000005
【図４】
2005333529.tif 000006
【図５】
2005333529.tif 000007
【図６】
2005333529.tif 000008
【図７】
2005333529.tif 000009
【図８】
2005333529.tif 000010
【図９】
2005333529.tif 000011